(57)【要約】【課題】オフライン状態において表示手段に表示される広告画像の閲覧を促進する方法を提供することを目的とする。【解決手段】パソコン１の本体２に記憶されたキャラクタマネージャプログラム６は、インターネット１５との回線接続が切断されたオフライン状態でキャラクタ広告表示部７によりディスプレイ３にキャラクタ広告が表示され、且つ、使用者検知部８によりキーボード４又はマウス５によるデータ入力状態から使用者がディスプレイ３に面していると検知される状態にあるときに、閲覧ポイント加算部９は商品と交換可能な閲覧ポイントを加算する。閲覧ポイント送信部１０は閲覧ポイントの加算データをキャラクタ広告運用サイト２０に送信し、該閲覧ポイントはポイント管理ＤＢ３６に記憶されて、商品との交換が可能となる。【選択図】    図１
2005099883.tif 000002
【特許請求の範囲】
【請求項１】
使用者の操作に応じてデータを入力するデータ入力手段と表示手段とネットワークを介して他の装置との間でデータ通信を行う通信手段とを備えた端末装置において、前記ネットワークへの回線接続が遮断されたオフライン状態で該表示手段に表示される広告画像の閲覧を促進する方法であって、
前記オフライン状態で前記表示部に前記広告画像が表示され、且つ、前記データ入力手段によるデータの入力状況から使用者が前記表示手段に面していることが検知される状態にあるときに、商品と交換可能な閲覧ポイントを加算することを特徴とする広告画像の閲覧促進方法。
【請求項２】
前記広告画像は、商品の提供者や商品自体を象徴すると共に生物をイメージして形成されたキャラクタ広告であり、該キャラクタ広告の姿態が前記閲覧ポイントの増加に応じて変化することを特徴とする請求項１記載の広告画像の閲覧促進方法。
【請求項３】
前記データ入力手段により、所定時間以下の間隔でデータが連続的に入力される状態にあるときに、使用者が前記表示手段に面していると検知することを特徴とする請求項１又は請求項２記載の広告画像の閲覧促進方法。
【請求項４】
前記表示手段の表示エリアのサイズが小さいほど、前記広告画像の表示サイズを小さくすることを特徴とする請求項１から請求項３のうちいずれか１項記載の広告画像の閲覧促進方法。
【請求項５】
使用者の操作に応じてデータを入力するデータ入力手段と表示手段とネットワークを介して他の装置との間でデータ通信を行う通信手段とを備えた端末装置において、
前記ネットワークへの回線接続が遮断されたオフライン状態で前記表示手段に広告画像を表示する広告画像表示手段と、前記データ入力手段によるデータの入力状況から使用者が前記表示手段に面していることを検知する使用者検知手段と、
前記広告画像表示手段により前記表示手段に前記広告画像が表示され、且つ、前記使用者検知手段により使用者が前記表示手段に面していることが検知される状態にあるときに、商品と交換可能な閲覧ポイントを加算する閲覧ポイント加算手段と、
該閲覧ポイントの加算データを、前記通信手段により前記ネットワークを介して接続され、該閲覧ポイントと商品との交換処理を行う閲覧ポイント交換装置に送信する閲覧ポイント送信手段とを備えたことを特徴とする広告画像を表示する端末装置。
【請求項６】
前記閲覧ポイント加算手段は、時間の経過に応じて前記閲覧ポイントを加算し、
前記閲覧ポイント交換装置は、前記端末装置から受信した前記閲覧ポイントの加算データが、直前に前記閲覧ポイントの加算データを受信した時点からの経過時間に応じて定まる所定の上限ポイントを超えていた場合には、前記閲覧ポイントの加算データが不正な処理によって生成されたものであると判断することを特徴とする請求項５記載の広告画像を表示する端末装置。
【請求項７】
前記閲覧ポイント加算手段は、前記閲覧ポイントの加算データを記憶手段に記憶すると共に、該閲覧ポイントの加算データを該記憶手段に記憶するときに、該閲覧ポイントの加算データに応じて変化する不正監視コードを所定の計算式により算出して該記憶手段に記憶し、
次回、前記閲覧ポイントの加算データを前記記憶手段に記憶して更新する際に、それまで前記記憶手段に記憶されていた前記閲覧ポイントの加算データから前記計算式により新たに前記不正監視コードを算出して、それまで前記記憶手段に記憶されていた前記不正監視コードと照合し、両者が相違したときは、前記閲覧ポイントに対して不正な処理がなされたと判断することを特徴とする請求項５記載の広告画像を表示する端末装置。
【発明の詳細な説明】
【０００１】
【発明の属する技術分野】
本発明は、端末装置の表示手段に表示される広告画像の閲覧促進方法、及び表示手段に広告画像を表示する端末装置に関する。
【０００２】
【従来の技術】
パーソナルコンピュータ（以下、パソコンという）に代表される、ネットワークとの回線接続が可能な端末装置のディスプレイに広告画像を表示する形態として、例えば、インターネット上に公開されたウェブページにバナー広告を貼付表示するものがある。この形態においては、実際にウェブページを閲覧しているパソコンの使用者に対してバナー広告を見せることができるため、広告を表示する効果が大きい。
【０００３】
しかし、一般的なパソコンの使用者にとって、このように、パソコンをインターネット回線に接続したいわゆるオンライン状態で使用するのは１日のうちのせいぜい数１０分程度であり、その他の時間は、パソコンをインターネット回線から切断したいわゆるオフライン状態で使用する。
【０００４】
そこで、パソコンがオフライン状態あるときにも、ディスプレイにバナー広告のような広告画像を表示させて使用者に該広告を閲覧させる方法として、キーボードやマウスによるデータ入力が所定時間以上ないアイドル状態となったときに起動するスクリーンセーバに広告画像を表示するものが提案されている。しかし、パソコンがアイドル状態であるときには、使用者はディスプレイを見ていない場合が多く、広告画像を表示する効果が低い。
【０００５】
一方、アイドル状態ではなく、使用者がオフライン状態で実際にパソコンを使用しているときにディスプレイに広告画像を表示することは、該広告画像は作業中の使用者にとって目障りであることから使用者の抵抗感が大きく、使用者に受け入れられ難いと考えられる。
【０００６】
【発明が解決しようとする課題】
本発明は、上記背景を鑑みてなされたものであり、オフライン状態において表示手段に表示される広告画像の閲覧を促進する方法を提供することを目的とする。
【０００７】
【課題を解決するための手段】
本発明は上記目的を達成するためになされたものであり、本発明の広告画像の閲覧促進方法は、使用者の操作に応じてデータを入力するデータ入力手段と表示手段とネットワークを介して他の装置との間でデータ通信を行う通信手段とを備えた端末装置において、前記ネットワークへの回線接続が遮断されたオフライン状態で該表示手段に表示される広告画像の閲覧を促進する方法であって、前記オフライン状態で前記表示部に前記広告画像が表示され、且つ、前記データ入力手段によるデータの入力状況から使用者が前記表示手段に面していることが検知される状態にあるときに、商品と交換可能な閲覧ポイントを加算することを特徴とする。
【０００８】
かかる本発明によれば、前記オフライン状態で前記表示部に前記広告画像が表示され、且つ、前記データ入力手段によるデータの入力状況から使用者が前記表示手段に前記表示手段に面していることが検知される状態にあるときに、前記閲覧ポイントが加算される。そのため、使用者が実際に前記表示部に面し、使用者の視野内に入っていると想定される場合にのみ、前記閲覧ポイントが加算されることとなる。そして、前記閲覧ポイントは商品と交換可能であるため、商品を欲する使用者に対してオフライン状態で前記広告画像を前記表示手段に表示させるインセンティブを与えることができ、オフライン状態での前記広告画像の閲覧を促進することができる。
【０００９】
また、前記広告画像は、商品の提供者や商品自体を象徴すると共に生物をイメージして形成されたキャラクタ広告であり、該キャラクタ広告の姿態が前記閲覧ポイントの増加に応じて変化することを特徴とする。
【００１０】
かかる本発明によれば、前記閲覧ポイントの増加により前記キャラクタ広告の姿態を変化させることにより、使用者に対して前記キャラクタ広告に対する注目度を高めることができる。また、前記閲覧ポイントが増加していることを前記キャラクタ広告の姿態の変化により視覚的に認識させることによって、さらに前記閲覧ポイントを獲得しようという意欲を使用者に生じさせることができる。
【００１１】
また、前記データ入力手段により、所定時間以下の間隔でデータが連続的に入力される状態にあるときに、使用者が前記表示手段に面していると検知することを特徴とする。
【００１２】
かかる本発明によれば、前記コンピュータの使用者が前記表示手段に向かって前記データ入力手段により連続してデータ入力を行っている状態、すなわち、例えばワープロソフトを使用しているときのように、使用者が確実に前記表示手段を注視し、前記広告画像が使用者の視野内に入ると想定される状態にあるときに限って、前記閲覧ポイントを加算することができる。
【００１３】
また、前記表示手段の表示エリアのサイズが小さいほど、前記広告画像の表示サイズを小さくすることを特徴とする。
【００１４】
かかる本発明によれば、前記表示手段の表示エリアが小さいほど、前記広告画像のサイズを小さくすることにより、前記表示手段の表示エリアに比して極端に大きな広告画像が表示されて、前記表示部を見る使用者に対して前記広告画像が目障りとなることを防止することができる。
【００１５】
また、本発明の広告画像を表示する端末装置は、使用者の操作に応じてデータを入力するデータ入力手段と表示手段とネットワークを介して他の装置との間でデータ通信を行う通信手段とを備えた端末装置において、前記ネットワークへの回線接続が遮断されたオフライン状態で前記表示手段に広告画像を表示する広告画像表示手段と、前記データ入力手段によるデータの入力状況から使用者が前記表示手段に面していることを検知する使用者検知手段と、前記広告画像表示手段により前記表示手段に前記広告画像が表示され、且つ、前記使用者検知手段により使用者が前記表示手段に面していることが検知される状態にあるときに、商品と交換可能な閲覧ポイントを加算する閲覧ポイント加算手段と、該閲覧ポイントの加算データを、前記通信手段により前記ネットワークを介して接続され、該閲覧ポイントと商品との交換処理を行う閲覧ポイント交換装置に送信する閲覧ポイント送信手段とを備えたことを特徴とする。
【００１６】
かかる本発明によれば、上述した本発明の広告画像の閲覧促進方法を実行する端末装置を構成することができ、また、使用者は、前記閲覧ポイントのデータを前記閲覧ポイント交換装置に送信することにより、前記閲覧ポイントと商品の交換処理を容易に行うことができる。
【００１７】
また、前記閲覧ポイント加算手段は、時間の経過に応じて前記閲覧ポイントを加算し、前記閲覧ポイント交換装置は、前記端末装置から受信した前記閲覧ポイントの加算データが、直前に前記閲覧ポイントの加算データを受信した時点からの経過時間に応じて定まる所定の上限ポイントを超えていた場合には、前記閲覧ポイントの加算データが不正な処理によって生成されたものであると判断することを特徴とする。
【００１８】
かかる本発明によれば、例えば、直前に前記閲覧ポイントの加算データの送信された時から２４時間しか経過していないにもかかわらず、前記閲覧ポイントの加算データが２４時間に応じて設定された上限ポイントを越えていた場合には、送信された閲覧ポイントの加算データが不正な処理により生成されたものであると判断して排除することができる。
【００１９】
また、前記閲覧ポイント加算手段は、前記閲覧ポイントの加算データを記憶手段に記憶すると共に、該閲覧ポイントの加算データを該記憶手段に記憶するときに、該閲覧ポイントの加算データに応じて変化する不正監視コードを所定の計算式により算出して該記憶手段に記憶し、次回、前記閲覧ポイントの加算データを前記記憶手段に記憶して更新する際に、それまで前記記憶手段に記憶されていた前記閲覧ポイントの加算データから前記計算式により新たに前記不正監視コードを算出して、それまで前記記憶手段に記憶されていた前記不正監視コードと照合し、両者が相違したときは、前記閲覧ポイントに対して不正な処理がなされたと判断することを特徴とする。
【００２０】
かかる本発明によれば、前記閲覧ポイント加算手段は、前記閲覧ポイントを前記記憶手段に記憶するときに前記不正監視コードを算出して記憶手段に記憶する。そして、前記不正監視コードは、前記閲覧ポイントの加算データに応じて変化するものであるため、前記端末装置の使用者が不正に前記閲覧ポイントの加算データを変更すると、前記記憶手段に記憶されていた前記閲覧ポイントの加算データと前記不正監視コードとの整合性が失われる。そのため、次回、前記閲覧ポイントの加算データを前記記憶手段に記憶して更新する際に、前記記憶手段に記憶されていた前記閲覧ポイントの加算データから新たに算出した前記不正監視コードとそれまで前記記憶手段に記憶されていた前記不正監視コードとが相違していたときには、前記記憶手段に記憶されていた前記閲覧ポイントが不正な方法によって変更されたものであると検知することができる。
【００２１】
【発明の実施の形態】
本発明の実施の形態の一例について、図１〜図６を参照して説明する。図１は本発明の広告画像の閲覧促進方法を実施するための装置構成図、図２はキャラクタ広告の表示例を示した図、図３及び図４はキャラクタ広告の閲覧状況に応じて閲覧ポイントを加算する手順を示したフローチャート、図５は閲覧ポイントの加算状況に応じてキャラクタ広告の姿態を変化させた例を示した図、図６は閲覧ポイントの不正操作を防止する処理を示したフローチャートである。
【００２２】
図１を参照して、本発明の広告画像を表示する端末装置であるパーソナルコンピュータ１（以下、パソコン１という）は、本体２，ディスプレイ３（本発明の表示手段に相当する），キーボード４（本発明のデータ入力手段に相当する），及びマウス５（本発明のデータ入力手段に相当する）を備える。
【００２３】
パソコン１の本体２には、インターネット回線１５（本発明のネットワークに相当する）を介して、インターネット上に公開されたウェブサイトであるキャラクタ広告運用サイト２０と接続するためのモデムカード１２が備えられ、本体２に内臓されたハードディスク（図示しない、本発明の記憶手段に相当する）には、後述するキャラクタマネージャを作動させるキャラクタマネージャプログラム６が記憶されている。
【００２４】
なお、キャラクタマネージャプログラム６のパソコン１へのインストールは、ＣＤ−ＲＯＭ等の記録媒体に記録されたインストールプログラムや、キャラクタ広告運用サイト２０からダウンロードされたインストールプログラムを実行することによって行われる。
【００２５】
キャラクタマネージャプログラム６は、キャラクタ広告表示部７（本発明の広告画像表示手段に相当する），使用者検知部８（本発明の使用者検知手段に相当する），閲覧ポイント加算部９（本発明の閲覧ポイント加算手段に相当する），及び閲覧ポイント送信部１０（本発明の閲覧ポイント送信手段に相当する）を備える。キャラクタ広告表示部７は、キャラクタ広告１１をディスプレイ３に表示する。
【００２６】
ここで、キャラクタ広告１１は、動物や植物、或いは動物や植物に擬態化され物のように生物をイメージして形成され、後述するように閲覧ポイントの増加に応じてその姿態が変化するため、使用者の注意を惹きやすい。そして、このようなキャラクタ広告１１を商品の提供者や商品と関連付けて使用することにより、商品の提供者や商品に対するイメージを、キャラクタ広告１１を介して視覚的に消費者に印象付けることができ、商品の提供者や商品の知名度や認知度を高めることができる。
【００２７】
使用者検知部８は、キーボード４又はマウス５から所定時間以下の間隔でデータが連続的に入力されるときに、使用者がディスプレイ３に面していると検知する。これにより、使用者がワープロ等のアプリケーションを使用して、パソコン１のディスプレイ３を注視しながらキーボード４やマウス５を操作しており、キャラクタ広告１１が使用者の視野内に入っていると想定される場合に限って、使用者がディスプレイ３に面していると検知することができる。
【００２８】
閲覧ポイント加算部９は、パソコン１とインターネット回線１５との接続が切断されたオフライン状態でキャラクタ広告表示部７によりキャラクタ広告１１が表示され、且つ、使用者検知部８により使用者がディスプレイ３に面していることが検知される状態にあるときに、商品と交換可能な閲覧ポイントを加算する。なお、ここにいう商品には、例えばプロバイダによるインターネットへの回線接続サービスや、レストランにおける食事の提供、宿泊施設の提供等の各種のサービスの提供、及び各種の情報提供サービスも含まれる。
【００２９】
また、閲覧ポイント送信部１０は、閲覧ポイント加算部９により加算された閲覧ポイントのデータを、モデムカード１２とインターネット回線１５を介してキャラクタ広告運用サイト２０に送信する。
【００３０】
次に、キャラクタ広告運用サイト２０は、インターネット回線１５を介して接続されたパソコン１の使用者に対して、パソコン１がオフライン状態であるときにディスプレイ３に表示されるキャラクタ広告１１の閲覧を促進させるための処理を行う。
【００３１】
キャラクタ広告運用サイト２０は、インターネット上にトップページ２１を公開し、ユーザ登録ページ２２を介してキャラクタ広告運用サイト２０へのユーザ登録を行う。そして、このように登録を行ったパソコン１の使用者（以下、登録ユーザという）は、キャラクタ広告ダウンロードページ２３を介してキャラクタ広告１１を表示するための表示データを得ることができ、また、ユーザサービスページ２４を介して種々のサービスを受けることができる。
【００３２】
また、キャラクタ広告運用サイト２０は、登録ユーザの個人データを管理するユーザ管理部３０、登録メンバーの閲覧ポイントを管理するポイント管理部３１、広告主であるクライアントの個別データを管理するクライアント管理部３２、及びキャラクタ広告の表示データを管理する広告管理部３３を備えている。
【００３３】
ユーザ管理部３０は、登録ユーザに対して、ユーザＩＤとパスワードを発行する。そして、ユーザＩＤとパスワードのデータと共に、登録時にユーザから提供された個人データ（住所、氏名、年齢等）をユーザ管理データベース３４に記憶する。
【００３４】
ポイント管理部３１は、登録ユーザのパソコン１から送信される閲覧ポイントの加算データを、登録ユーザ毎に、また、該登録ユーザがキャラクタ広告ダウンロードページ２３から表示データを取得して自己のパソコン１に登録したキャラクタ広告毎に集計して、ポイント管理データベース３６に記録する。さらに、ポイント管理部３１は、登録ユーザが閲覧ポイントを使用して商品を購入したときには、該商品の対価分の閲覧ポイントをポイント管理データベース３６に記憶されていた閲覧ポイントから減算する処理を行う。
【００３５】
クライアント管理部３２は、キャラクタ広告を使用して営業を行っており、登録ユーザに対してキャラクタ広告を閲覧させることにより、自社に対するイメージの浸透や、自社製品の売上げ増加を図ることを希望するメーカや商社等（以下、クライアントという）の個別データや、各クライアントが設定する閲覧ポイントと商品との交換レートのデータ等をクライアント管理データベース３５に記憶する。
【００３６】
広告管理部３３は、クライアントが使用するキャラクタ広告の表示データや、キャラクタ広告と共に表示する吹き出し広告やアンケート調査の表示データを、各クライアント毎に広告管理データベース３７に記録する。
【００３７】
次に、キャラクタマネージャの作動と、キャラクタ広告の閲覧ポイントの加算処理について説明する。
【００３８】
図１を参照して、登録ユーザがパソコン１を起動すると、キャラクタマネージャプログラム６が実行されてキャラクタマネージャが作動を開始し、ディスプレイ３のデスクトップのタスクバー１４にキャラクタマネージャのアイコン１５が表示される。そして、この状態で、登録メンバーがキャラクタマネージャのアイコン１５をマウス５でクリックすると、図２（ａ）に示したようにキャラクタマネージャ１５のポップアップメニュー４０が開く。
【００３９】
キャラクタマネージャ１５のポップアップメニュー４０は、登録されているキャラクタ広告の中からディスプレイ３に表示するキャラクタ広告を選択する「キャラクタ選択」、インターネットプラウザを起動してキャラクタ広告運用サイト２０のチャットサービスページ（ユーザサービスページ２４の下層ページ）に接続する「チャット」、同様にキャラクタ広告サイト２０の占いサービスページ（ユーザサービスページ２４の下層ページ）に接続する「占い」、同様にキャラクタ広告運用サイト２０のグリーティングサービスページに接続する「グリーティング」、及びオフライン状態で加算された閲覧ポイントを表示する「ポイント情報」という選択項目を有する。
【００４０】
登録ユーザが「キャラクタ選択」にマウスポインタを合わせるとサブメニュー４１が開き、図２（ａ）に示した例では、メーカＡのキャラクタ広告、メーカＢのキャラクタ広告、及びメーカＣのキャラクタ広告の中から、ディスプレイ３に表示するキャラクタ広告を選択することが可能となる。なお、２以上のキャラクタ広告を選択して同時にディプレイ３に表示することもできる。また、キャラクタ広告は、常時使用者の視野に入るように、常にデスクトップの最前部に表示される。
【００４１】
そして、キャラクタ広告が選択されると、図２（ｂ）に示したように、ディスプレイ３にキャラクタ広告１１が表示される。以下、図３及び図４に示したフローチャートに従って、キャラクタ広告１１が表示されている間のキャラクタマネージャの作動について説明する。
【００４２】
図３を参照して、ＳＴＥＰ１でキャラクタ広告１１の表示が開始されると、ＳＴＥＰ２に進み、キャラクタ広告１１がクリックされると図４のＳＴＥＰ４０に分岐して、キャラクタマネージャはキャラクタ用メニュー４３（図２（ｂ））を表示する。キャラクタ用メニュー４３は、「お散歩」，「お休み」，「広告サイトに接続」，及び「終了」という選択項目を有する。
【００４３】
そして、登録ユーザが「お散歩」をクリックすると、ＳＴＥＰ４１からＳＴＥＰ５０に分岐して、キャラクタ広告表示部７（図１参照）はキャラクタ広告１１をデスクトップ上を動き回らせる処理を開始する。また、登録ユーザが「お休み」をクリックすると、ＳＴＥＰ４２からＳＴＥＰ６０に分岐して、キャラクタ広告表示部７はキャラクタ広告１１の移動を停止する処理を行う。
【００４４】
使用者が「広告サイトに接続」をクリックすると、ＳＴＥＰ４３からＳＴＥＰ７０に分岐し、キャラクタマネージャは、インターネットブラウザを起動してインターネット上に公開されたキャラクタ広告１１のクライアントのウェブサイトに接続する。これにより、登録ユーザは、キャラクタ広告１１に関する情報や、クライアントが扱う商品に関する情報を直ちに得ることができる。
【００４５】
また、使用者が「終了」をクリックすると、ＳＴＥＰ４４からＳＴＥＰ８０に分岐し、キャラクタ広告表示部７はキャラクタ広告１１の表示を終了して、キャラクタ広告の表示ルーチンを実行を終了する。ここで、キャラクタ広告１１の表示を終了する際に、キャラクタマネージャは、閲覧ポイント加算部により加算された閲覧ポイントの加算データをキャラクタ広告運用サイト２０に送信するか否かを確認する画面を表示する。
【００４６】
そして、登録ユーザが閲覧ポイントの送信を指示したときは、閲覧ポイント送信部１０がインターネットブラウザを起動してキャラクタ広告運用サイトにアクセスし、登録ユーザは、ユーザサービスページ２４を介して閲覧ポイントの加算データをアップロードする。これにより、登録ユーザの加算データが、ポイント管理部３１を介してポイント管理データベース３６に記憶され、また、閲覧ポイント加算部９による加算データはリセットされる。
【００４７】
なお、閲覧ポイント加算部９は、２４時間を上限として閲覧ポイントを加算する。そのため、ポイント管理部３１は、パソコン１から受信した閲覧ポイントの加算データが２４時間（本発明の上限ポイントに相当する）を越えるものであったときには、該加算データは不正な処理により生成されたものであると判断して、ポイント管理データベース３６への登録は行わない。
【００４８】
また、ポイント管理部３１は、前回閲覧ポイントの加算データを受信した時刻から、今回閲覧ポイントの加算データを受信した時刻までの経過時間（本発明の上限ポイントに相当する）よりも、今回受信した閲覧ポイントに加算データに応じた時間の方が長かったときにも、該加算データは不正な処理により生成されたものであると判断して、ポイント管理データベース３６への登録は行わない。
【００４９】
また、使用者がキャラクタ広告以外の箇所をクリックすると、ＳＴＥＰ４６に進んで、キャラクタマネージャはキャラクタ用メニュー４３を閉じてＳＴＥＰ２に戻る。
【００５０】
次に、ＳＴＥＰ３で、使用者検知部８（図１参照）により登録ユーザがディスプレイ３に面していることが検知されているときは、ＳＴＥＰ４に進み、ＳＴＥＰ４で１分が経過する毎にＳＴＥＰ１０に分岐して閲覧ポイント加算部９が閲覧ポイントを加算する。なお、複数のキャラクタ広告が表示されている場合は、各キャラクタ広告毎に独立して閲覧ポイントが加算される。
【００５１】
続くＳＴＥＰ５は、図２（ｃ）に示したように、所定のタイミングで吹き出し４４に広告を表示するためのものであり、例えばキャラクタ広告の表示が開始されてから３０分が経過する毎に、或いは所定時刻（正時等）になったときにＳＴＥＰ２０に分岐して、キャラクタ広告表示部７はキャラクタ広告４２の近傍に吹き出し広告を表示する。
【００５２】
次のＳＴＥＰ６も、ＳＴＥＰ５と同様に吹き出しを表示するものであるが、広告ではなく、ＳＴＥＰ３０で吹き出しにアンケートを表示する。登録ユーザがアンケートに回答すると、その回答データは一時的にハードディスクに保存され、その後パソコン１がキャラクタ広告運用サイト２０に接続されたときに、キャラクタ広告運用サイト２０に該回答データが送信されて、ユーザ管理ＤＢ３４に記憶される。この回答データは、登録メンバーの嗜好の把握や消費動向の調査等に使用される。
【００５３】
ＳＴＥＰ１０で加算された閲覧ポイントは、キャラクタ広告１１を使用しているクライアントや、他の提携メーカのウェブページにアクセスして、該クライアントやメーカが取扱う商品と交換することができる。
【００５４】
そのため、登録ユーザに対して、オフライン状態でパソコン１を使用する際に、キャラクタ広告１１をディスプレイに表示して閲覧ポイントを貯めようとするインセンティブを与えることができる。また、図５に示したように、デスクトップに表示されるキャラクタ広告１１の姿態は、閲覧ポイントが増えるに従って変化（(1)→(2)→(3)→(4)）する。そのため、登録ユーザの注意をキャラクタ広告に惹きつけることができ、キャラクタ広告の閲覧を一層促進させることができる。
【００５５】
なお、本実施の形態では、閲覧ポイントの増加に応じてその姿態が変化するキャラクタ広告を表示することで、オフライン状態での広告の閲覧を促進させたが、姿態が変化しない広告画像を表示する場合にも、商品と交換可能な閲覧ポイントを与えることにより、登録ユーザに対して該広告画像の閲覧を促進することができる。
【００５６】
また、閲覧ポイントをパソコン１のハードディスクに記憶する際に、閲覧ポイントの値から生成多項式（本発明の所定の計算式に相当する）により、閲覧ポイントに応じて変化する不正監視コードを算出して該不正監視コードもハードディスクに記憶するようにしてもよい。これにより、該不正監視コードを使用して図６に示した処理を行い、パソコン１の使用者による閲覧ポイントの不正な操作を防止することができる。
図６は閲覧ポイント加算部９による処理であり、ＳＴＥＰ１０１で閲覧ポイントの加算データを更新してハードディスクに記憶するタイミング（例えば、キャラクタマネージャの起動／終了時や、閲覧ポイントの加算データをキャラクタ広告運用サイト２０に送信する時）になると、閲覧ポイント加算部９は、次のＳＴＥＰ１０１に進んでハードディスクに記憶されている閲覧ポイントの加算データを読み込む。そして、ＳＴＥＰ１０２で、閲覧ポイント加算部９は、読み込んだ閲覧ポイントの加算データから生成多項式により新たな不正監視コードを算出し、ＳＴＥＰ１０３で前回書き込んだ不正監視コードをハードディスクから読み込んで、ＳＴＥＰ１０４で照合する。
両者（新たに算出した不正監視コードと前回ハードディスクに記憶した不正監視コード）が一致した場合は、閲覧ポイントが変化しておらず、不正な操作はなかったと判断できるので、閲覧ポイント加算部９は、ＳＴＥＰ１０５に進んで新たな閲覧ポイントの加算データと該新たな閲覧ポイントから算出された不正監視コードをハードディスクに書き込む。
一方、両者が相違したときには、閲覧ポイントの加算データが前回の書き込み時から変化しており、パソコン１の使用者が不正な操作を行って閲覧ポイントの加算データを書き換えたと判断できる。そのため、ＳＴＥＰ１１０に分岐して、閲覧ポイント加算部９はディスプレイ３上に不正な処理が行われた旨を示す警告メッセージを表示する。そして、次のＳＴＥＰ１１１で閲覧ポイントを「０」にリセットする。これにより、次のＳＴＥＰ１０５でハードディスクに書き込まれる閲覧ポイントが「０」となり、不正な操作により閲覧ポイントが増加することを防止することができる。
【００５７】
また、本実施の形態では、本発明のデータ入力手段としてキーボードとマウスを用いた例を示したが、画像入力装置や音声入力装置を用いてもよい。
【００５８】
また、本発明の端末装置としてパーソナルコンピュータを用いた例を示したが、ＣＡ−ＴＶ回線と接続されたショッピング端末や、ＰＤＡ等の表示手段とデータ入力手段を備えた端末装置であれば、本発明の適用が可能である。
【図面の簡単な説明】
【図１】本発明の広告画像の促進方法を実施するための装置構成図。
【図２】キャラクタ広告の表示例を示した図。
【図３】キャラクタ広告の閲覧状況に応じて閲覧ポイントを加算する手順を示したフローチャート。
【図４】キャラクタ広告の閲覧状況に応じて閲覧ポイントを加算する手順を示したフローチャート。
【図５】閲覧ポイントの増加に応じてキャラクタ広告の姿態を変化させる例を示した図。
【図６】閲覧ポイントの不正操作を防止する処理を示したフローチャート。
【符号の説明】
１…パーソナルコンピュータ（パソコン）、２…パーソナルコンピュータの本体、３…ディスプレイ、４…キーボード、５…マウス、１１…キャラクタ広告、１５…キャラクタマネージャのアイコン、１５…インターネット回線、２０…キャラクタ広告運用サイト
【図１】
2005099883.tif 000003
【図２】
2005099883.tif 000004
【図３】
2005099883.tif 000005
【図４】
2005099883.tif 000006
【図５】
2005099883.tif 000007
【図６】
2005099883.tif 000008